(57)【要約】【課題】文書を見開いた状態で読み取った画像データを、容易にページの順序に従いファイル出力する画像処理装置を提供する。【解決手段】画像処理装置１０は、複数のページが綴じられた文書を見開いて読み取ることで得られる２ページ分の画像データにおいて、前記複数のページを綴じた領域の近傍に生じる影や歪を補正する画像補正手段２０と、補正された画像データを解析し、解析した結果に基づいて２ページ分の画像データにおける順序を決定する順序決定手段と、画像データをページ毎に２つに分割する画像分割手段５０と、順序決定手段が決定した順序に基づき、分割した画像データの順序を並べ替える画像並べ替え手段６０と、画像並べ替え手段６０が並べ替えた順序で画像データを出力する画像出力手段７０と、を備える。【選択図】図１
2011172136.tif 000002
【特許請求の範囲】
【請求項１】
複数のページが綴じられた文書を見開いて読み取ることで得られる２ページ分の画像データにおいて、前記複数のページを綴じた領域の近傍に生じる影や歪を補正する画像補正手段と、
補正された前記画像データを解析し、解析した結果に基づいて前記２ページ分の画像データにおける順序を決定する順序決定手段と、
前記画像データをページ毎に２つに分割する画像分割手段と、
前記順序決定手段が決定した前記順序に基づき、分割した前記画像データの順序を並べ替える画像並べ替え手段と、
前記画像並べ替え手段が並べ替えた前記順序で前記画像データを出力する画像出力手段と、を備えることを特徴とする画像処理装置。
【請求項２】
請求項１に記載の画像処理装置において、
前記順序決定手段は、前記画像データの所定の領域からページに関する情報を抽出するページ情報抽出手段と、
前記ページ情報抽出手段の抽出結果に応じて、前記画像データを解析する方法を決定し、決定した前記方法により前記順序を決定する画像解析手段と、を備えることを特徴とする画像処理装置。
【請求項３】
請求項２に記載の画像処理装置において、
前記画像解析手段は、前記ページ情報抽出手段が前記ページに関する情報を抽出した場合、前記ページに関する情報を解析してページ番号を取得し、取得した前記ページ番号の大小を判定して前記順序を決定するページ番号認識手段と、
前記ページ情報抽出手段が前記ページに関する情報を抽出しない場合、前記画像データを解析して前記文書の書式を判定し、判定した前記書式に応じて前記順序を決定する書式判定手段と、を備えることを特徴とする画像処理装置。
【請求項４】
請求項２乃至３のいずれかに記載の画像処理装置において、
前記画像解析手段が前記順序を決定できない場合、ユーザーに前記順序を決定させることを特徴とする画像処理装置。
【請求項５】
請求項３に記載の画像処理装置において、
同一の前記文書で複数の読み取りを行い、前記ページ番号認識手段が前記ページ番号を取得した場合、
前記画像並べ替え手段は、それぞれの読み取りで分割した前記画像データを対象に、それぞれ取得した前記ページ番号の大小を判定して前記順序を決定することを特徴とする画像処理装置。
【請求項６】
複数のページが綴じられた文書を見開いて読み取ることで得られる２ページ分の画像データにおいて、前記複数のページを綴じた領域の近傍に生じる影や歪を補正する画像補正工程と、
補正された前記画像データを解析し、解析した結果に基づいて前記２ページ分の画像データにおける順序を決定する順序決定工程と、
前記画像データをページ毎に２つに分割する画像分割工程と、
前記順序決定工程で決定した前記順序に基づき、分割した前記画像データの順序を並べ替える画像並べ替え工程と、
前記画像並べ替え工程で並べ替えた前記順序で前記画像データを出力する画像出力工程と、を備えることを特徴とする画像処理方法。
【発明の詳細な説明】
【技術分野】
【０００１】
本発明は、画像処理装置および画像処理方法に関する。
【背景技術】
【０００２】
複数の原稿が綴じられた冊子や書籍等の文書をスキャナーで読み取って電子データ化する際、文書を見開いた状態でスキャナーに読み取られるため、１度の読み取りで２ページの画像が得られる。この場合、文書の綴じ部は焦点面から離れるため、画像の歪、影、文字ぼけ等の画像劣化が発生する。このような画像劣化を防止するために、下記特許文献１に示すような装置が開示されている。
また、読み取った文書の画像データをファイル化する場合、画像データをページ毎に分割し、分割した画像を順次並べてファイル形式で出力した。
【先行技術文献】
【特許文献】
【０００３】
【特許文献１】特開平１１−３４１２３０号公報
【発明の概要】
【発明が解決しようとする課題】
【０００４】
しかしながら、見開いた２ページの画像のどちらが先行するページであるかは、文書によって異なるため、ページ毎に分割してファイル化する場合、スキャナーで読み取る前に、何れが先行するかを指示すると共に、他のページを読み取る際には、文書の上下が同じになるようにスキャナーに載置して読み取る必要があるため、読み取り作業に手間と時間を要した。本発明は、文書を見開いた状態で読み取った画像データを、容易にページの順序に従いファイル出力することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる画像処理装置は、複数のページが綴じられた文書を見開いて読み取ることで得られる２ページ分の画像データにおいて、前記複数のページを綴じた領域の近傍に生じる影や歪を補正する画像補正手段と、補正された前記画像データを解析し、解析した結果に基づいて前記２ページ分の画像データにおける順序を決定する順序決定手段と、前記画像データをページ毎に２つに分割する画像分割手段と、前記順序決定手段が決定した前記順序に基づき、分割した前記画像データの順序を並べ替える画像並べ替え手段と、前記画像並べ替え手段が並べ替えた前記順序で前記画像データを出力する画像出力手段と、を備えることを特徴とする。
【０００７】
このような構成によれば、文書を見開いて読み取ることで得られる２ページ分の画像データを解析し、解析した結果に基づいて２ページ分の画像データの順序を決定し、分割した画像データを決定した順序に基づいて並べ替えて出力する。従って、２ページ分の画像データの順序は、画像データを解析して決定されるため、文書を読み取る際の文書の載置方向やページの順序を気にすることなく、文書の読み取りを容易に行える。
【０００８】
［適用例２］
上記適用例にかかる画像処理装置において、前記順序決定手段は、前記画像データの所定の領域からページに関する情報を抽出するページ情報抽出手段と、前記ページ情報抽出手段の抽出結果に応じて、前記画像データを解析する方法を決定し、決定した前記方法により前記順序を決定する画像解析手段と、を備えることを特徴とする。
【０００９】
このような構成によれば、文書に記述されたページに関する情報を抽出し、抽出した結果に応じて画像データを解析できる。
【００１０】
［適用例３］
上記適用例にかかる画像処理装置において、前記画像解析手段は、前記ページ情報抽出手段が前記ページに関する情報を抽出した場合、前記ページに関する情報を解析してページ番号を取得し、取得した前記ページ番号の大小を判定して前記順序を決定するページ番号認識手段と、前記ページ情報抽出手段が前記ページに関する情報を抽出しない場合、前記画像データを解析して前記文書の書式を判定し、判定した前記書式に応じて前記順序を決定する書式判定手段と、を備えることを特徴とする。
【００１１】
このような構成によれば、ページに関する情報が抽出できた場合、ページ番号から順序を決定し、ページに関する情報が抽出できない場合、文書の書式から順序を決定できる。
【００１２】
［適用例４］
上記適用例にかかる画像処理装置において、前記画像解析手段が前記順序を決定できない場合、ユーザーに前記順序を決定させても良い。
【００１３】
［適用例５］
上記適用例にかかる画像処理装置において、同一の前記文書で複数の読み取りを行い、前記ページ番号認識手段が前記ページ番号を取得した場合、前記画像並べ替え手段は、それぞれの読み取りで分割した前記画像データの全てを対象に、それぞれ取得した前記ページ番号の大小を判定して前記順序を決定することを特徴とする。
【００１４】
このような構成によれば、文書を読み取る順序に依らず、ページに応じた順序で出力される。
【００１５】
［適用例６］
本適用例にかかる画像処理方法は、複数のページが綴じられた文書を見開いて読み取ることで得られる２ページ分の画像データにおいて、前記複数のページを綴じた領域の近傍に生じる影や歪を補正する画像補正工程と、補正された前記画像データを解析し、解析した結果に基づいて前記２ページ分の画像データにおける順序を決定する順序決定工程と、前記画像データをページ毎に２つに分割する画像分割工程と、前記順序決定工程で決定した前記順序に基づき、分割した前記画像データの順序を並べ替える画像並べ替え工程と、前記画像並べ替え工程で並べ替えた前記順序で前記画像データを出力する画像出力工程と、を備えることを特徴とする。
【００１６】
このような方法によれば、文書を見開いて読み取ることで得られる２ページ分の画像データを解析し、解析した結果に基づいて２ページ分の画像データの順序を決定し、分割した画像データを決定した順序に基づいて並べ替えて出力する。従って、２ページ分の画像データの順序は、画像データを解析して決定されるため、文書を読み取る際の文書の載置方向やページの順序を気にすることなく、文書の読み取りを容易に行える。
【図面の簡単な説明】
【００１７】
【図１】本発明の実施形態に係る画像処理装置の機能構成を示す図。
【図２】本発明の実施形態に係る画像処理装置の機能を説明する図。
【図３】本発明の実施形態に係る画像処理装置の処理の流れを示すフローチャート。
【発明を実施するための形態】
【００１８】
以下、画像処理装置について図面を参照して説明する。
【００１９】
（実施形態）
図１は、画像データを処理する画像処理装置１０の機能構成を示す図である。この画像処理装置１０は、フラットベットタイプのスキャナー装置９０が読み取った画像データを入力データとして入力し、この画像データを画像処理して出力する。より詳細には、スキャナー装置９０は、原稿が綴じられた冊子や書籍等の文書８０（図２）を見開いてフラットベットにセットされた状態で、セットされた箇所を画像データとして読み取ると共に、読み取った画像データを画像処理装置１０に送る。そして、画像処理装置１０は、スキャナー装置９０から送られた画像データを画像処理することで、見開いた箇所をページ毎に分割し、ページの順序に従い所定のファイル形式で出力する。本実施形態では、スキャナー装置９０と、図示を略したコンピューターとが、ＵＳＢ（Ｕｎｉｖｅｒｓａｌ  Ｓｅｒｉａｌ  Ｂｕｓ）やネットワーク等を介して接続された様態を想定し、画像処理装置１０は、コンピューターにインストールされ、スキャナー装置９０を制御するドライバーソフトウェアに実装された様態を想定する。即ち、画像処理装置１０の各機能部は、コンピューターのハードウェアとソフトウェアが協働することで実現する。
この画像処理装置１０は、画像補正手段２０、ページ情報抽出手段３０、画像解析手段４０、画像分割手段５０、画像並べ替え手段６０および画像出力手段７０を備える。
【００２０】
図２は、画像処理装置１０の機能を説明する図であり、この図２も参照して説明する。最初に、画像補正手段２０は、スキャナー装置９０が読み取った文書８０の画像データの中から、原稿中央部の綴じた領域の近傍に生じる影や歪を補正して出力する。画像補正手段２０のように、原稿中央部の綴じた領域に生じる影や歪を補正する方法は、例えば、特開平１１−３４１２３０号公報に開示されている。画像補正手段２０が補正した画像データは、ページ情報抽出手段３０および画像分割手段５０に送られる。
ページ情報抽出手段３０と画像解析手段４０は、読み取った画像データにおける順序を決定する順序決定手段である。
ページ情報抽出手段３０は、抽出領域決定手段３２と、画像判定手段３４を備える。抽出領域決定手段３２は、文書８０の画像データの中から、ページ番号が記載されている可能性の高い領域を抽出領域として決定する。例えば、図２に示す画像の場合、コンテンツが記述されているコンテンツ領域８４の外周部を抽出領域８２とする。
【００２１】
画像判定手段３４は、抽出領域決定手段３２が決定した抽出領域の中から、ページ情報の可能性が高い画像を抽出して判定する。判定した結果、ページ情報の可能性が高い画像のデータは、画像解析手段４０に送られる。例えば、図２の場合、抽出領域８２において、「２１３」、「２１４」および「ｗｎ」の画像データが取得される。この中から、綴じ代を対称に２つ配置された「２１３」と「２１４」の画像は、ページ情報の可能性が高い画像と判定され、画像解析手段４０に送られる。他方で、「ｗｎ」の画像は、配置が非対象であると共に、綴じ代方向に平行な領域の中央部に配置されているため、ページ情報の可能性が低い画像として判定され、画像解析手段４０には送られない。尚、抽出領域の中から抽出できた全ての画像を画像解析手段４０に送り、画像解析手段４０においてページ情報か、否かを判定する様態であっても良い。
また、判定した結果、ページ情報の可能性が高い画像のデータが１つも抽出できない場合、ページ情報が無かったことを示す情報が画像解析手段４０に送られる。
【００２２】
尚、抽出領域の大きさは、文書８０の画像データの大きさに応じて決定しても良く、一定の大きさで抽出できない場合は、コンテンツ領域８４に接するまで抽出領域を漸次拡大しても良い。また、画像データから抽出したページ情報の相対位置を記憶しておき、次のページの読み込み時には、記憶した相対位置から優先的に抽出しても良い。
画像解析手段４０は、ページ番号認識手段４２と、書式判定手段４４を備える。この画像解析手段４０は、ＯＣＲ機能を備える。ページ番号認識手段４２は、画像判定手段３４からページ情報の可能性が高い画像のデータが送られた場合、送られた画像を解析してページ番号を認識する。ＯＣＲ処理によりページ番号を認識する方法は、例えば、特開２００２−２４７９６号公報に開示されている。ページ番号認識手段４２により、前記した「２１３」と「２１４」の画像は、それぞれ数値データとして認識される。認識された２つの数値データは、大小判定されてページ順序が決定される。この結果、左ページから右ページにページ数が増加することを示す順序情報が画像並べ替え手段６０に送られる。尚、ページ番号は連続している必要はなく、左ページと右ページの間に欠落したページがあっても良い。また、ページを連続して読み取る場合、一部のページの数値データが上下逆であっても、ページ番号認識手段４２は上下の逆を検出し、順序情報にその旨の情報を加える。
【００２３】
書式判定手段４４は、画像判定手段３４からページ情報が無かったことを示す情報が送られた場合、文書８０の画像データを解析して、コンテンツ領域８４における書式の「縦書き」、「横書き」を判定する。ＯＣＲ処理により書式を判定する方法は、例えば、特開２００８−２３４２２３号公報に開示されている。例えば、図２の文書８０は、「横書き」と判定され、左ページから右ページにページ数が増加することを示す順序情報が画像並べ替え手段６０に送られる。
尚、ページ番号認識手段４２において、ページ情報の可能性が高い画像のデータを解析した結果、ページ番号を認識できない場合は、書式判定手段４４が判定しても良い。また、ページ番号認識手段４２による判断が可能の場合、書式判定手段４４による判定を更に行って、得られた結果の論理積を取り、解析の確度を高めても良い。更に、書式判定手段４４が判定できない場合は、図示を略したＵＩ（Ｕｓｅｒ  Ｉｎｔｅｒｆｅｃａ）画面をコンピューターが作成して表示し、ユーザーに選択させても良い。画像解析手段４０が解析した結果を示す解析情報は、画像分割手段５０に送られる。
【００２４】
画像分割手段５０は、画像解析手段４０が解析した結果に基づいて、文書８０の画像データを分割し、それぞれの画像データを画像並べ替え手段６０に送る。例えば、図２の場合、画像解析手段４０は２ページ分割を示す解析情報を送る。この結果、画像分割手段５０は、文書８０の画像データを２分割する。また、分割を行わない場合は、分割しない旨の解析情報が送られる。この結果、画像分割手段５０は、文書８０の画像データを分割せずに１ページとする。また、織り込みページのような場合であって、３つのページ番号が認識された場合、画像解析手段４０は３ページ分割を示す解析情報を送る。この結果、画像分割手段５０は、文書８０の画像データをページ番号の位置に応じて３分割しても良い。
画像並べ替え手段６０は、画像分割手段５０から送られる画像データを、画像解析手段４０から送られる順序情報に基づいて並べ替える。例えば、ページを昇順に出力する場合は、ページ数が順次大きくなるように画像データを並べ替え、ページを降順に出力する場合は、ページ数が順次小さくなるように画像データを並べ替える。また、文書８０を複数ページに渡って読み取る場合は、それぞれの読み取りで得られた画像データの全てを対象に、ページ数に基づいて再度並べ替えを行っても良い。また、順序情報に、一部のページが上下逆である旨の情報が含まれる場合並べ替え時に上下を補正できる。画像並べ替え手段６０は、読み取りの終了を待ち、並べ替えた画像データを画像出力手段７０に送る。
【００２５】
画像出力手段７０は、画像並べ替え手段６０から送られる画像データを、並び順に従い出力する。本実施形態では、画像データは、ベクトルデータであるＰＤＦ（Ｐｏｒｔａｂｌｅ  Ｄｏｃｕｍｅｎｔ  Ｆｏｒｍａｔ）形式や、ビットマップデータであるマルチＴＩＦＦ（Ｔａｇｇｅｄ  Ｉｍａｇｅ  Ｆｉｌｅ  Ｆｏｒｍａｔ）形式のファイルとして生成されて出力される。尚、ファイルによる出力には限定されず、投射、表示、印刷および音声読み上げ等も想定できる。
図３は、画像処理装置１０の処理の流れを示すフローチャートである。画像処理装置１０の処理が開始されると、最初に、ＣＰＵは、スキャナー装置９０が読み取った画像データを取得する（ステップＳ１００）。
次に、ＣＰＵは、取得した画像データの綴じ領域を画像補正する（ステップＳ１０２）。続いて、ＣＰＵは、抽出領域８２を決定し（ステップＳ１０４）、抽出領域８２からページ情報を抽出する（ステップＳ１０６）。
【００２６】
次に、ＣＰＵは、ページ情報を抽出できたか、否かを判定する（ステップＳ１０８）。ここで、ページ情報を抽出できたと判定された場合（ステップＳ１０８でＹｅｓ）、ページ情報からページ番号を認識し（ステップＳ１１０）、ページ番号からページ順序を決定する（ステップＳ１１２）。
続いて、ＣＰＵは、ページ順序を決定できたか、否かを判定する（ステップＳ１１４）。ここで、ページ順序は決定できたと判定された場合（ステップＳ１１４でＹｅｓ）、ステップＳ１４０に進む。
他方で、ページ順序は決定できないと判定された場合（ステップＳ１１４でＮｏ）、または、ステップＳ１０８でページ情報は抽出できないと判定された場合（ステップＳ１０８でＮｏ）、コンテンツ領域８４の書式が縦書きか、横書きかを判定する（ステップＳ１２０）。続いて、ＣＰＵは、判定した書式からページ順序を決定する（ステップＳ１２２）。
【００２７】
続いて、ＣＰＵは、ページ順序を決定できたか、否かを判定する（ステップＳ１２４）。ここで、ページ順序は決定できたと判定された場合（ステップＳ１２４でＹｅｓ）、ステップＳ１４０に進む。
他方で、ページ順序は決定できないと判定された場合（ステップＳ１２４でＮｏ）、ＣＰＵは、ＵＩ画面を作成して表示し、ユーザーにページ順序を選択させ（ステップＳ１３０）、ステップＳ１４０に進む。
ステップＳ１４０では、ＣＰＵは、画像データをページ毎に分割する。続いて、ＣＰＵは、決定したページ順序に従い、分割した画像データを並べる（ステップＳ１４２）。
続いて、ＣＰＵは、他のページも続けて読み取るか、否かを判定する（ステップＳ１４４）。ここで、他のページも続けて読み取ると判定された場合（ステップＳ１４４でＹｅｓ）、ステップＳ１００に戻り、次の画像データを取得する。
他方で、読み取りを終了すると判定された場合（ステップＳ１４４でＮｏ）、ＣＰＵは、それまでに並べ替えた画像データを所定のファイル形式で出力し（ステップＳ１４６）、一連の処理を終了する。
以上の処理により、原稿が綴じられた文書８０の画像を読み取って所定のファイルに出力する際、綴じ領域近傍に生じる影や歪を補正すると共に、原稿に記載されたページ順序に従って所定のファイルに出力されるため、原稿が綴じられた文書８０の電子ファイル化作業を容易かつ迅速にできる。また、文書８０を連続して読み取る際に、文書８０の上下を逆にして読み取っても、上下判定されて補正されるため、文書８０の読み取り作業が容易になる。また、複数のページを読み取る場合、ページ番号でソートされて出力されるため、読み取り順序を気にすることなく、任意のページから読み取り作業を開始できる。
【００２８】
以上、本発明を図示した実施形態に基づいて説明したが、本発明は、本実施形態に限定されるものではなく、以下に述べるような変形例も想定できる。
（１）画像処理装置１０は、コンピューターにインストールされる様態には限定されず、スキャナー装置９０に実装された様態でも良い。
また、以上のような手法を実施する装置は、単独の装置によって実現される場合もあれば、複数の装置を組み合わせることによって実現される場合もあり、各種の態様を含むものである。
【符号の説明】
【００２９】
１０…画像処理装置、２０…画像補正手段、３０…ページ情報抽出手段、３２…抽出領域決定手段、３４…画像判定手段、４０…画像解析手段、４２…ページ番号認識手段、４４…書式判定手段、５０…画像分割手段、６０…画像並べ替え手段、７０…画像出力手段、８０…文書、８２…抽出領域、８４…コンテンツ領域、９０…スキャナー装置。
【図１】
2011172136.tif 000003
【図３】
2011172136.tif 000004
【図２】
2011172136.tif 000005